(57)【要約】　　　（修正有）【解決手段】立設した略円筒形状のタンク本体２と、該タンク本体２の周囲を囲む導水管１とからなる。導水管１はタンク本体２の下部から上方に向けて螺旋状に装着されてタンク本体２の上部からタンク本体２内部に注水する。タンク本体２の上部にタンク本体２内部の水を排出する給水パイプ３とエア抜き栓４とを設ける。タンク本体２と導水管１との外周に水活性シールＳを装着する。水道管と連結する導水管１の下端部に、水道管を開閉操作する元締栓５を設ける。【効果】タンク本体内部の一定量の水道水を効率良く活性化することが可能である。水道水中の遊離残留塩素を逃さずに殺菌力を長時間保持できる。【選択図】　　　　図１
0003098385.tif 000002
【実用新案登録請求の範囲】
【請求項１】
立設した略円筒形状のタンク本体と、該タンク本体の周囲を囲む導水管とからなり、該導水管はタンク本体の下部から上方に向けて螺旋状に装着されてタンク本体の上部からタンク本体内部に注水し、一方、該タンク本体の上部にタンク本体内部の水を排出する給水パイプとエア抜き栓とを設け、これらタンク本体と導水管との外周に水活性シールを装着したことを特徴とする活水器。
【請求項２】
前記水活性シールは、シール基体の表面に、花崗岩を粉砕した粉体を含んだ塗料で二重円形状の主マークが印刷されると共に、該主マークの円周相互に接する小円形状の副マークが複数個印刷され、該印刷層の表面に保護膜層を有する水質活性シールである請求項１記載の活水器。
【請求項３】
前記導水管は、水道管と連結する導水管の下端部に、水道管を開閉操作する元締栓が設けられた請求項１記載の活水器。
【考案の詳細な説明】
【０００１】
【考案の属する技術分野】
本考案は、水道水を安全で美味しい水に変えることができる活水器に関するものである。
【０００２】
【従来の技術】
従来、飲料水等を浄化するには、活性炭を利用した吸着剤が使用されている。ところが、活性炭によって塩素が消滅した水は、その後の雑菌の繁殖が早くなり、水が腐敗する原因になっていることはあまり知られていない。
【０００３】
特許文献１に記載された水質浄化装置は、当考案者が先に考案した水質浄化装置である。この水質浄化装置は、水道水に含まれている残留塩素を利用して浄化する装置である。すなわち、円盤状の金属製箱体の内部中央に宝石を配置し、この宝石の周囲に、金メッキされた大中小三種類の銅線コイルを、間隔をおいて配設し、これら宝石と銅線コイルの間、または銅線コイル相互の間に粉砕した花崗岩と珊瑚化石と植物化石とからなるエネルギー石を配した装置である。
【０００４】
この水質浄化装置の有効性は種々の実験で明らかになっている。ところが、円盤状の金属製箱体を使用するために、装着場所が限定される不都合があった。例えば、塩素を含んだ水道水を活性化させるには、上水道の水道メーターや蛇口付近に装着するのが好ましいが、特許文献１の水質浄化装置では、このような場所に装着して使用することは困難であった。しかも、内部に宝石を配置するもので、製造コストも極めて高くなる不都合があった。
【０００５】
そこで当考案者は、特許文献２の水質活性シールによって水質浄化装置を改良し、従来の水質浄化装置の活性化能力をよりパワーアップすると共に、上水道の水道メーターや蛇口付近の配管等に簡単に装着することのできる水質活性シールを考案している。
【０００６】
この特許文献２に記載された水質活性シールは、シール基体の表面に、花崗岩を粉砕した粉体を接着し、このシール基体の裏面又は表面の一部に粘着層を設けた水質活性シールである。この水質活性シールによって、従来の水質浄化装置の浄化能力をよりパワーアップすると共に、上水道の水道メーターや蛇口付近の配管等に簡単に装着できるようになっている。
【０００７】
【特許文献１】
実用新案登録第３０５４６４８号
【特許文献２】
実用新案登録第３０８４０４８号
【０００８】
【考案が解決しようとする課題】
当考案者は、前記特許文献２に記載の水質活性シールよる極めて高い活水性能に注目し、この活水作用を飲料水や風呂水などの生活用水に利用することができる活水器の研究開発を進めてきた。
【０００９】
すなわち、上水道の水道メーターや蛇口付近等の配管に装着するだけでなく、この水質活性シールの活性能力を更に引き出すことができる活水器を提供しようとするものである。そこで、水道水をある一定量タンクに保存して活性化する手段が最も効率的であることが判明したが、一定量保存中に水道水中の遊離塩素が散逸すると、水道水の殺菌効果が落ちるのみならず、散逸した遊離塩素がガス化すると他に悪影響を与える恐れも生じる。
【００１０】
そこで本考案は、上述の課題を解消すべく案出されたもので、一定量の水道水を効率良く活性化することが可能になり、水道水中の遊離残留塩素を逃さずに殺菌力を長時間保持できる活水器の提供を目的とするものである。
【００１１】
【課題を解決するための手段】
上述の目的を達成すべく本考案の第１の手段は、立設した略円筒形状のタンク本体２と、該タンク本体２の周囲を囲む導水管１とからなり、該導水管１はタンク本体２の下部から上方に向けて螺旋状に装着されてタンク本体２の上部からタンク本体２内部に注水し、一方、該タンク本体２の上部にタンク本体２内部の水を排出する給水パイプ３とエア抜き栓４とを設け、これらタンク本体２と導水管１との外周に水活性シールＳを装着する。
【００１２】
第２の手段において、前記水活性シールＳは、シール基体Ｓ１の表面に、花崗岩を粉砕した粉体を含んだ塗料で二重円形状の主マークＳ２が印刷されると共に、この二重円形の主マークＳ２円周相互に接する小円形状の副マークＳ３が複数個印刷され、該印刷層の表面に保護膜層Ｓ４を有する。
【００１３】
第３の手段の導水管１は、水道管と連結する導水管１の下端部に、水道管を開閉操作する元締栓５が設けられている。
【００１４】
【考案の実施の形態】
以下、図面を参照して本考案の実施の形態を説明する。本考案の基本構成は、導水管１とタンク本体２、これらの外周面に装着する水活性シールＳからなる（図１参照）。
【００１５】
導水管１は、タンク本体２の下部から上方に向けて螺旋状に装着されるもので、タンク本体２の上部からタンク本体２内部に水道水を注水する（図１、２参照）。図示例では、この導水管１の基端部、すなわち水道管と連結する導水管１の下端部に、水道管を開閉操作する元締栓５が設けられている（図１参照）。この元締栓５を操作することで、タンク本体２内部への注水及び後述するタンク本体２からの給水操作を同時に行うものである。
【００１６】
タンク本体２は、立設した略円筒形状を成している。そして、このタンク本体２内部の水を排出する給水パイプ３を、タンク本体２の上部から内部に挿入している（図２参照）。図示の給水パイプ３は、タンク本体２の底部の水を給水するもので、タンク本体２の底部近傍まで挿入された挿入管３Ａと、この挿入管３Ａの上端部に連結されてタンク本体２外部へ給水する給水管３Ｂとで構成されている。
【００１７】
導水管１及びタンク本体２の材質は、いずれもＳＵＳ３０４製で、導水管１の配管口径１２ｍｍとし、タンク本体２の寸法を直径７０ｍｍ×高さ３００ｍｍに設定している。そして、タンク本体２の外周を導水管１にて螺旋状に巻きつける。このとき、導水管１をタンク本体２から離れた位置で１６回程巻きつける。更に、タンク本体２に対する導水管１の巻き方を、右巻きと左巻き（水の進行方向）とに変えたところ、左巻きの導水管１で処理した水は、特に味がマイルドで飲料水に適し、一方、右巻きの導水管１で処理した水は、特に殺菌力に優れるので風呂などの水に適することが分かった。
【００１８】
タンク本体２の上部に設けた符号４はエア抜き栓である（図２参照）。このエア抜き栓４は、タンク本体２の内部に注水し、タンク本体２が満水になったときに、タンク本体２内に残った空気を排出するために使用する。タンク本体２内部に空気が残ると、水道水から遊離してガス化した塩素の塩素溜まりになる恐れがある。そこで、タンク本体２内部に水道水を注入した初期は、必ず、このエア抜き栓４を使用して内部の空気を排出する必要がある。
【００１９】
水活性シールＳは、シール基体Ｓ１の表面に、花崗岩を粉砕した粉体を含んだ塗料を何層にも塗布したもので、タンク本体２の外周と導水管１の外周に装着する（図３参照）。この水活性シールＳの基本構成については、本考案者が先に登録した登録実用新案第３０８４０４８号公報に詳しく記載されている。図示例の水活性シールＳは次の通りである。すなわち、シール基体Ｓ１二重円形状の主マークＳ２が印刷されると共に、この二重円形の主マークＳ２円周相互に接する小円形状の副マークＳ３が複数個印刷される（図４参照）。更に、該印刷層の表面に保護膜層Ｓ４を有している（図５参照）。このとき、副マークＳ３の数は、主マークＳ２の内部に色彩を変えて１３個配列するのが最も効果的である。一方、シール基体１の材質は特に限定はなく、粉体２を固定できる強度を有するものであればよい。例えば、Ｐ．Ｐ等の合成樹脂をフィルムやシートなどに形成したものであってもよい。
【００２０】
このように構成した水活性シールＳを、導水管１及びタンク本体２の外側面に周設する（図１、２参照）。シール基体Ｓ１に接着剤を塗布していないものでは、他の接着テープなどを使用して水活性シールＳを接着する。また、シール基体Ｓ１に接着剤を塗布したものでは、水活性シールＳを直に接着することが可能になる。ここで重要なのは、導水管１又はタンク本体２の周囲を囲むように装着することである。また、水活性シールＳの装着枚数が多いほど活性効果が上がるので、図示では、導水管１の各段部と、タンク本体２の外側面に複数列状に装着している。尤も、水活性シールＳの数や装着位置は適宜に変更できるものである。
【００２１】
このような水活性シールＳを導水管１とタンク本体２とに装着すると、タンク本体２内部の水に次のような変化が生じる。すなわち、残留塩素は５日間以上消えないことが実験で明らかになっている。この結果、塩素の殺菌・漂白・脱臭の三つ働きを長く保つことができる。しかも、タンク本体２内の安定化塩素は水を美味しい健康水に変える効果がある。つまり、水道水の塩素臭は消えて、殺菌力が残り、水道水が瞬時に活水化する。水が超微細ナノクラス、クラター水に成る。お風呂の湯、タイル、壁、天井のカビ、汚れが少なくなる。お湯は、肌に優しく、アトピー肌も解消する。４６度の湯でも４０度以下に感じる滑らかな湯に変わる。古々米が新米に近い美味しさに変わる。煮物などの浸透率が早く、中迄美味しく成る。源泉配管、温泉の配管などの詰まりを防止する。レジオネラ菌対策として使用可能であり、循環濾過配管内のバクテリア魂がなくなり、ヌメリを付着させない。菌の温床が無くなる。エンジン・機器の冷却水・冷却効果を上げる。棄てる排水で河川・沼を綺麗に蘇らせる等々である。
【００２２】
【考案の効果】
本考案は上述の如く構成したことにより、当初の目的を達成した。すなわち、立設した略円筒形状のタンク本体２と、該タンク本体２の周囲を螺旋状に囲む導水管１とからなり、該導水管１はタンク本体２の下部から上方に向けて螺旋状に装着されてタンク本体２の上部からタンク本体２内部に注水し、タンク本体２内部の水を排出する給水パイプ３をタンク本体２の上部に備えると共に、該タンク本体２の上部にエア抜き栓４を設け、タンク本体２の外周と導水管１の外周に水活性シールＳを設けたことにより、タンク本体２内部の一定量の水道水を効率良く活性化することが可能になり、水道水中の遊離残留塩素を逃さずに殺菌力を長時間保持できるようになった。
【００２３】
また、水活性シールＳは、シール基体Ｓ１の表面に、花崗岩を粉砕した粉体を含んだ塗料で二重円形状の主マークＳ２が印刷されると共に、この二重円形の主マークＳ２円周相互に接する小円形状の副マークＳ３が複数個印刷され、該印刷層の表面に保護膜層Ｓ４を有するものであるから、導水管１やタンク本体２の側面周囲に容易に装着することが可能である。
【００２４】
しかも、導水管１は、水道管と連結する導水管１の下端部に、水道管を開閉操作する元締栓５が設けられているので、この元締栓５を操作することで、タンク本体２内部に水道水を供給する。したがって、水道管の水圧はこのタンク本体２に影響を与えないので、耐圧力が低いタンク本体２でも使用することができ、本考案活水器の安価な提供を可能にする。
【００２５】
このように本考案によると、一定量の水道水を効率良く活性化することが可能になり、水道水中の遊離残留塩素を逃さずに殺菌力を長時間保持できるようになり、しかも安価な提供が可能であるなどといった効果を奏する。
【図面の簡単な説明】
【図１】本考案の一実施例を示す正面図である。
【図２】本考案のタンク本体を示す正面図である。
【図３】本考案の水活性シールの一実施例を示す平面図である。
【図４】本考案の水活性シールの主マークと副マークとを示す平面図である。
【図５】本考案の水活性シールの要部断面図である。
【符号の説明】
Ｓ　水活性シール　　　Ｓ１　シール基体
Ｓ２　主マーク
Ｓ３　副マーク
Ｓ４　保護膜層
１　導水管
２　タンク本体
３　給水パイプ　　　　３Ａ　挿入管
３Ｂ　給水管
４　エア抜き栓
５　元締栓
【図１】
0003098385.tif 000003
【図２】
0003098385.tif 000004
【図３】
0003098385.tif 000005
【図４】
0003098385.tif 000006
【図５】
0003098385.tif 000007